(57)【要約】      （修正有）【課題】犯罪者の攻撃を受ける時、威嚇及び撃退及び通報作用を構成することができ、且つ緊急時に爆弾のように化学薬剤を散開させることができ、迅速に現場から退避できる多機能自衛噴霧装置を提供する。【解決手段】本体１及び本体に嵌合設置する瓶体２からなり、本体はマイクロプロセッサ、警報モジュール、音声認識モジュール、発信モジュール、ＧＰＳモジュールを含む制御回路３と、制御回路に接続するボタンを設け、瓶体内部に化学薬剤を収容する内部カプセル２１を設け、内部カプセルに高圧シリンダ２３を設けて高圧シリンダをロープで瓶体外縁に突出したプルリング２３２に接続し、瓶体上縁にノズル２４を設ける。【選択図】図２
0003199956.tif 000002
【実用新案登録請求の範囲】
【請求項１】
本体と本体上方に嵌合設置される瓶体とからなり、
上記本体は、制御回路を設けて、該制御回路はマイクロプロセッサ、該マイクロプロセッサに接続する警報モジュール、発信モジュール、ＧＰＳモジュール、発声部材とから構成され、さらに該本体に該制御回路を作動させる押しボタンを設けてなり、
上記瓶体は、その内部に内部カプセルを設け、高圧状態の化学薬剤及び高圧シリンダを収容し、該高圧シリンダをロープで前記瓶体外縁に突出するプルリングに接続し、上縁には該内部カプセルと貫通するノズルヘッドを設けてなり、
使用時には、前記ノズルヘッドの押圧によって前記ノズルヘッドから化学薬剤を噴出させて威嚇、撃退作用を構成し、前記ボタンの押圧により警報を発し、
また、前記瓶体を本体から抜いて前記プルリングを外向きに引くことにより前記高圧シリンダから圧力を放出させて化学薬剤を加圧して前記内部カプセル及び前記瓶体を突破させて化学薬剤を散開させる、多機能自衛噴霧装置。
【請求項２】
前記本体の制御回路は、前記本体から突出する押しボタンに接続し、警報モジュール、発信モジュール及びＧＰＳモジュールを起動させる請求項１に記載の多機能自衛噴霧装置。
【請求項３】
前記発声部材は、スピーカ又はブザーである請求項１に記載の多機能自衛噴霧装置。
【請求項４】
前記本体の前記制御回路は、更に、音声認識モジュールを接続し、音声により前記警報モジュール、前記発信モジュール及び前記ＧＰＳモジュールを起動させる請求項１に記載の多機能自衛噴霧装置。
【考案の詳細な説明】
【技術分野】
【０００１】
本考案は、多機能自衛噴霧装置に関し、特に、犯罪者の攻撃を受ける時、威嚇及び撃退及び通報作用を構成することができ、且つ緊急時に爆弾のように化学薬剤を散開させることができ、迅速に現場から退避できる多機能自衛噴霧装置に関する。
【背景技術】
【０００２】
社会の急速な変化、経済の発展に伴って犯罪率も上昇し、外出からの夜間の帰路や人気の少ないところを歩く婦女に身の安全に不安を抱かせている。ある婦女は防犯スプレーを購入し、身の脅威にさらされる時に犯罪者に対する威嚇、撃退を構成している。しかしながら、市販の防犯スプレーは使用時、精確に犯罪者に対してスプレーヘッドを押圧する必要があり、そうして初めて化学薬剤を犯罪者へ向けて噴出させることができるものであって、緊急な状況で目標に対して照準することが困難である時、防犯スプレーの効果を失効する。また、従来の防犯スプレーは、ただ化学薬剤を噴出することしかできず、警報及び位置決め作用を達成することはできず、従って、最初の救援が遅れることになる。出願人は、これに鑑み、研究、実験を重ね、ようやく多機能自衛噴霧装置を設計し、犯罪者を威嚇、撃退する作用を構成し、且つ緊急時に爆弾のように化学薬剤を散開させ、迅速に現場から退避することができるようにしている。
【先行技術文献】
【特許文献】
【０００３】
【特許文献１】特開２００６−１９５０２８号公報
【特許文献１】)実開昭６１−７９７９５号公報
【考案の概要】
【考案が解決しようとする課題】
【０００４】
本考案の主な目的は、犯罪者の攻撃に遭遇した時、威嚇、撃退及び通報の作用を構成することができ、且つ緊急時に爆弾のように化学薬剤を散開させることができ、迅速に現場から退避できる多機能自衛噴霧装置を提供することにある。
【課題を解決するための手段】
【０００５】
前記多機能自衛噴霧装置は、本体及び本体に嵌合設置する瓶体を含む。そのうち、該本体は、マイクロプロセッサ、警報モジュール、音声認識モジュール、発信モジュール及びＧＰＳモジュールを含む制御回路、及び該制御回路に接続するボタンを設け、該瓶体内部に化学薬剤を収容させることができる内部カプセルを設け、内部カプセルに高圧シリンダを設け、高圧シリンダをロープで瓶体外縁に突出したプルリングに接続させ、瓶体上縁は、ノズルを設ける。悪党の攻撃に遭遇した時、ノズルの押圧によってノズルから化学薬剤を噴出させ、威嚇、撃退作用を構成し、ボタンを押圧するか、特定の音声を叫ぶことにより、警報音声を発し、警察局等の救援者へ通報、及び所在位置の通報を構成し、緊急時には、瓶体を抜くことができ、プルリングを引き、高圧シリンダに圧力を放出させ、化学薬剤に内部カプセル上端及びノズルを突破させ、爆弾のように化学薬剤を散開させ、迅速に現場から退避することができる。使用者自身に災難を生じるか、身体の不調、登山時に遭難にあうか、道に迷った時、何れも本考案の救援を使用することができる。
【０００６】
前記の多機能自衛噴霧装置は、そのうち、該本体は、制御回路設け、該制御回路は、マイクロプロセッサ、マイクロプロセッサに接続する警報モジュール、発信モジュール及びGPSモジュール及び発声部材（スピーカ又はブザー）から構成される。
【０００７】
前記の多機能自衛噴霧措置は、そのうち、該瓶体内部に内部カプセルを設け、高圧状態の化学薬剤を収容させ、瓶体上縁は、内部カプセルと貫通するノズルを設ける。
【考案の効果】
【０００８】
本考案の主な多機能自衛噴霧装置は、犯罪者の攻撃に遭遇した時、威嚇、撃退及び通報の作用を構成することができ、且つ緊急時に爆弾のように化学薬剤を散開させることができ、迅速に現場から退避可能にすることができる。
【図面の簡単な説明】
【０００９】
【図１】本考案の立体図である。
【図２】本考案の側面図である。
【図３】本考案の回路ブロック図である。
【図４】本考案の噴霧動作状態図である。
【図５】本考案の信号伝送状態図である。
【図６】本考案の爆発動作状態図である。
【考案を実施するための形態】
【００１０】
図１及び図２並びに図３を合わせて同時に参照する。それは、本考案の立体図、断面図及び回路ブロック図である。図に示すように、本考案は、本体１及び本体１に嵌合設置される瓶体２を含む。そのうち、該本体１は、制御回路３を設け、該制御回路３は、マイクロプロセッサ３１、マイクロプロセッサ３１に接続する警報モジュール３２、音声認識モジュール３８、発信モジュール３３及びＧＰＳモジュール３４及び発声部材３５（スピーカ又はブザー）、及び該制御回路３に接続して本体１の適当な位置に突出するボタン３６から構成される。
該制御回路３は、電池３７から作動電源を供給され、該電池３７は、充電式とすることができる。該制御回路３は、更に、音声認識モジュール３８に接続し、音声認識モジュール３８により集音部材３９（小型マイクロフォン）に接続する。
【００１１】
該瓶体２内部に内部カプセル２１を設け、高圧状態の化学薬剤２２及び高圧シリンダ２３を収容させ、高圧シリンダ２３をロープ２３１で瓶体２外縁に突出するプルリング２３２に接続し、瓶体１上縁は、内部カプセル２１と貫通するノズル２４を設ける。正常状態において、該高圧シリンダ２３は、プルリング２３２により引き動かされておらず、化学薬剤２２を内部カプセル２１の被覆により一般の保存状態を保持する。本実施例において、該化学薬剤２２は、刺激性の防犯スプレー、唐辛子スプレー又は催涙ガス等である。
【００１２】
前記構成部材の組み合わせにより、多機能自衛噴霧装置を構成する。犯罪者の攻撃を受ける時、ノズル２４の押圧により、ノズル２４から化学薬剤を噴出し、威嚇及び撃退の作用を構成し、且つボタン３６に対する押圧、又は特定の音声を発することにより、音声認識モジュール３８の認識をさせてマイクロプロセッサ３１によって発声部材３５を駆動して、高デシベルの警報を発して警報作用を構成し、周囲の人々の注意を引きつけ、即時に救援を求めることができ、マイクロプロセッサ３１により発信モジュール３３を駆動し、救援信号を警察局、友人等の救援者に発信することができる（通信ネットワークを経由）。
更に、GPSモジュール３４により位置検索信号を伝送し、ＧＰＳを介して所在位置の位置決めを行い、救援者が救援信号及びGPSの位置決めに基づいて、即座に現場に救援に到達することができる。使用者自身に災難が生じるか、身体の不調、登山時に遭難にあうか、道に迷った時、何れも本考案を使用して救援者に救助を求めることができる。
【００１３】
前記本考案の状況が非常に緊急である時、瓶体２を本体１から抜き、瓶体２外縁のプルリング２３２を外向きに引き、高圧シリンダ２３に圧力を放出させ、化学薬剤２２に内部カプセル２１及び瓶体２を突破させ、爆弾のように化学薬剤２２を散開させ、化学薬剤２２を周囲環境に浸透させ、犯罪者が近づくことができないようにして、迅速に現場から退避することができる。
【００１４】
図４を参照する。それは、本考案の噴霧動作状態図である。図２を合わせて参照するように、犯罪者の攻撃に遭遇した時、使用者は、手で本体１を掴んで、手指で瓶体２に設けられるノズル２４を押し、内部カプセル２１に収容される化学薬剤２２をノズル２４から噴出させ、悪党に対する威嚇、撃退の作用を構成する。
【００１５】
図５を参照する。それは、本考案の信号伝送状態図である。図２を合わせて参照するように、図４のように、内部カプセル２１に収容した化学薬剤２２をノズル２３から噴出させ、犯罪者に対する威嚇、撃退の作用を構成する以外に、更に、ボタン３６の押圧又は特定の音声の発生（使用者が事前に設定保存した特定音声暗号）により、集音部材３９によって集音し、音声認識モジュール３８の認識後、マイクロプロセッサ３１により発声部材３５を駆動して高デシベルの警報音を発し、マイクロプロセッサ３１により発信モジュール３３を駆動して救援信号を救援者に発信し（通信ネットワークを介して警察局４、救援者の携帯電話５等に伝送する）、ＧＰＳモジュール３４により所在位置の位置決めを行い救援者が救援信号及びＧＰＳの位置決めに基づいて、即座に現場に救援できるようにする。
【００１６】
図６は、本考案の爆発動作状態図である。図２を合わせて参照するように、本考案は、緊急時に、犯罪者を照準することが困難であり、精確にノズル２３を押すことが困難である可能性があり、この時、使用者は、即座に迅速に瓶体２を本体１から抜き（瓶体を垂直方向に力を加えて引き出す）、プルリング２３２を外向きに引き出し、高圧シリンダ２３に圧力を放出させ、化学薬剤２２に内部カプセル２１及び瓶体２を突破させ、爆弾のように外向きに化学薬剤２２を散開させることにより、化学薬剤２２を周囲に浸透させ、犯罪者の視線を干渉し、その行動を阻害し、犯罪者が近づくことができないようにし、使用者が迅速に現場から退避することができるようにする。
【００１７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【００１８】
上記のように、本考案は、ノズルヘッドを設け、且つ化学薬剤を収容した瓶体により、制御回路を設けた本体を組み合わせ、多機能自衛噴霧装置噴霧装置を構成する。犯罪者の攻撃に遭遇した時、威嚇、撃退の作用を構成することができ、且つ緊急時に爆弾のように化学薬剤を散開させ、迅速に現場から退避することができる。このように、実用的な設計であり、新規性を備えた考案である。
【符号の説明】
【００１９】
１  本体
２  瓶体
２１  内部カプセル
２２  化学薬剤
２３  高圧シリンダ
２３１  ロープ
２３２  プルリング
２４  ノズル
３  制御回路
３１  マイクロプロセッサ
３２  警報モジュール
３３  発信モジュール
３４  ＧＰＳモジュール
３５  発声部材
３６  ボタン
３７  電池
３８  音声認識モジュール
３９  集音部材
４  警察局
５  携帯電話
【図１】
0003199956.tif 000003
【図２】
0003199956.tif 000004
【図３】
0003199956.tif 000005
【図４】
0003199956.tif 000006
【図５】
0003199956.tif 000007
【図６】
0003199956.tif 000008